【事件の表示】
　平成　３年特許願第　９１５７５号「ビデオカメラ制御装置および方法」拒絶査定に対する審判事件［平成　４年１０月２６日出願公開、特開平　４−３０２５８７］について、次のとおり審決する。
【結　論】
　本件審判の請求は、成り立たない。
【理　由】
１　本願発明
　本願は、平成３年３月２９日の出願であって、その請求項１に係る発明は、平成１２年８月９日、平成１３年２月２０日、平成１４年４月１日付けの手続補正書により補正された明細書および図面の記載からみて、特許請求の範囲の請求項１に記載された次のとおりのものと認める。（以下「本願発明」という。）
「【請求項１】　ビデオカメラを遠隔制御するビデオカメラ制御装置において、
　前記ビデオカメラにより撮影された被写体の画像を所定のウインドウに表示する表示手段と、
　マウスの操作に応じて、カーソルの表示位置を制御するカーソル制御手段と、
　前記カーソルにより前記ウインドウ内の分割された領域のうちの所定の領域が指示されることに応じて、指示された前記領域の位置に基づいて、前記ビデオカメラをパーニングするパーニング制御手段と、
　前記マウスの所定のボタンが押下されたときの前記カーソルの位置と、前記ボタンに対する押下が終了されたときの前記カーソルの位置とを結ぶ線を、その対角線とする範囲が設定されることに応じて、前記範囲のサイズと前記ウインドウのサイズから算出されるズーム比率に基づいて、前記範囲内の前記画像を前記ウインドウのサイズにあわせるように、前記ビデオカメラのズームインを制御するズームイン制御手段と
　を備えることを特徴とするビデオカメラ制御装置。」
　
 ２　刊行物発明
 （１）これに対して、当審拒絶理由で引用された、本願の出願日前である平成１年６月５日に頒布された「特開平１−１４２８６１号公報」（以下「刊行物１」という。）は、「文書編集装置」に関するものであって、その公報には次の事項が記載されている。
ア　「第５図、第６図はそれぞれ多値ＷＳ７−１，７−２、８−１，８−２、多値ＲＤ／多値ＰＲシステム１１−１，１１−２，の内部構造を示すブロック図であり、２値ＷＳ、２値ＲＤ／２値ＰＲシステムと違いはビデオＲＡＭおよびＬＣ−ｉ／Ｆにある。多値ＲＤ９及び多値ＰＲ１０を接続するためには多値ＬＣ−ｉ／Ｆ３４が必要であり、多値イメージを表示するためには多値ＶＲＡＭ３２が必要である。…（中略）…多値ＶＲＡＭ３２は第８図のような構成となっており、多値イメージは多値ＢＵＦ５３に格納してＣＲＴ１６に表示できる。また、２値の表示も同時に必要であり、２値のイメージ・データは２値ＢＵＦ５２に格納して多値イメージと重畳して表示することができる。このような構成で、多値ＷＳは多値イメージに関し、２値ＷＳと同様の機能を実現でき、必要ならば２値イメージを包含して処理できる。また、テレビカメラ入力装置６６あるいはＶＴＲ６７，ＶＴＲを介してテレビ・チューナ６８が接続された場合、多値ＶＲＡＭ３２はこれらの入力をモニタリングするため、くり返し書込み、シャッタを切るオペレーションによりその時点のデータを保持する機能を有す。また、テレビ・カメラの持つ各種モニタ用コマンドを送る機能を有す。」（３頁左下欄４行ないし３頁右下欄１８行、第５、６、８図）
イ　「ステップＳ１においてテレビカメラからの入力がある場合は、第１５図のような表示となる。すなわち、例えば総合文書５７が表示されているような場合、その上に６９のようにカメラからのモニタ画面が表示される。これは多値ＢＵＦ５３のモニタ画面に対応する領域部分にテレビカメラからの入力画像を所定の時間間隔でくり返し書込むことによって実現する。このテレビカメラを例えば第１５図の表示をしているＷＳの多値ＷＳ８−２においてリモートで操作するために、第１５図の領域７０にコマンド群の表示を行う。この内容は例えば第１６図のようであり、ブライト，コントラスト，焦点，ズーム，絞り，シャッタ，テレビカメラのチルト台のＵＰ，ＤＯＷＮ，ＬＥＦＴ，ＲＩＧＨＴの各移動のコマンドが表示されている。ここで、ブライト，コントラストの指定が行われるとその値がテレビカメラ６６に送られる。また、焦点，ズーム，絞りに関しては、対応するそれぞれＦＡＲ，ＮＥＡＲ，ＴＥＬＥ，ＷＩＤＥ，ＯＰＥＮ，ＣＬＯＳＥの部分が指定され続ける間そのコマンドをカメラ６６に送りつづけて調節する。ＵＰ，ＤＯＷＮ，ＬＥＦＴ，ＲＩＧＨＴについても同様である（ステップＳ２）。そしてシャッタが指定されると、モニタを止めその時点の多値ＢＵＦ５３のデータを入力データとして確定（フリーズ）する（ステップＳ２４）。以下そのフリーズデータが前述の如くして多値イメージとしての編集対象となる。ステップＳ２において領域７０をポイントデバイスで指定すると、それを判定し（Ｓ４０）、第１６図のコマンドが表示され（Ｓ４１）、この中を更にポイントデバイスで指定すると、指定データをＣＰＵのメモリＲＡＭへズーム等の制御データとして格納する（Ｓ４２）。そしてＲＡＭの制御データはカメラ側へ送られ、カメラのサーボモータを駆動して、入力画像の大きさを変える。又フォーカスモニタをＲＡＭの焦点データにより制御することで焦点を合わせることができる。尚、ＣＰＵからの伝送データはデジタルなので、カメラ側でＤ／Ａ変換して、モータ電圧又はパルス数に変換してモータ制御する。尚、モニタ領域６９のサイズ、位置を多値ＢＵＦ５３の容量内で可変することができる。又カメラからの入力画像はカメラインタフェースに設けたＡ／Ｄ変換器によりサンプリングされた６４階調の多値データとして入力される。」（４頁右下欄１３行ないし５頁右上欄１５行、第１５，１６図）
エ　これらの記載事項からして、刊行物１には、「テレビカメラ入力装置６６あるいはＶＴＲ６７，ＶＴＲを介してテレビ・チューナ６８が接続された場合、多値ＶＲＡＭ３２はこれらの入力をモニタリングするため、くり返し書込み、シャッタを切るオペレーションによりその時点のデータを保持する機能を有しており、テレビ・カメラの持つ各種コマンドを送る機能を有し、総合文書５７が表示されているような場合、その上にカメラからのモニタ画面が表示され、これは多値ＢＵＦ５３のモニタ画面に対応する領域部分にテレビカメラからの入力画像を所定の時間間隔でくり返し書込むことによって実現するものであって、
　このテレビカメラを多値ＷＳにおいてリモートで操作するために、領域７０にコマンド群の表示を行い、この内容は、ブライト，コントラスト，焦点，ズーム，絞り，シャッタ，テレビカメラのチルト台のＵＰ，ＤＯＷＮ，ＬＥＦＴ，ＲＩＧＨＴの各移動のコマンドが表示されており、ブライト，コントラストの指定が行われるとその値がテレビカメラ６６に送られ、また、焦点，ズーム，絞りに関しては、対応するそれぞれＦＡＲ，ＮＥＡＲ，ＴＥＬＥ，ＷＩＤＥ，ＯＰＥＮ，ＣＬＯＳＥの部分が指定され続ける間そのコマンドをカメラ６６に送りつづけて調節し、ＵＰ，ＤＯＷＮ，ＬＥＦＴ，ＲＩＧＨＴについても同様であり、領域７０をポイントデバイスで指定すると、それを判定し、コマンドが表示され、この中を更にポイントデバイスで指定すると、指定データをＣＰＵのメモリＲＡＭへズーム等の制御データとして格納し、そしてＲＡＭの制御データはカメラ側へ送られ、カメラのサーボモータを駆動して、入力画像の大きさを変えるものであり、フォーカスモニタをＲＡＭの焦点データにより制御することで焦点を合わせることができるものであり、
　ＣＰＵからの伝送データはデジタルなので、カメラ側でＤ／Ａ変換して、モータ電圧又はパルス数に変換してモータ制御し、モニタ領域６９のサイズ、位置を多値ＢＵＦ５３の容量内で可変することができ、カメラからの入力画像はカメラインタフェースに設けたＡ／Ｄ変換器によりサンプリングされた６４階調の多値データとして入力される文書編集装置。」（以下「刊行物発明」という）が記載されていると認められる。
（２）また、当審拒絶理由に引用された、本願の出願日前である昭和５３年１０月３日に頒布された「特開昭５３−１１３４１８号公報」（以下「刊行物２」という。）は、「静止画像通信方式」に関するものであって、その公報には、次の事項が記載されている。
ア　「カメラ制御信号はコンソールｇにあるカーソル７２の中心位置を決めるＸ指示器９１，Ｙ指示器９２およびズーム比を決めるズーム指示器９３の操作によって得られる。Ｘ指示器９１，Ｙ指示器９２，ズーム指示器９３からの信号はカーソル発生回路８２に入り同期信号発生回路８０５の同期信号をもとにＸ指示器９１，Ｙ指示器９２によってカーソル７２の中心が、ズーム指示器９３によってカーソル７２の大きさが定まったカーソル信号を発生しこのカーソル信号は合成回路８０６に入り、画像メモリ８１からくりかえして読みだされる広帯域画像信号に重じょうされ、プロセス回路８０７によって、同期信号を付加し、映像信号にされ、広帯域ビデオ信号８０８より出力される。一方、Ｘ指示器９１、Ｙ指示器９２，ズーム指示器９３からの信号はレジスタ８０９及び演算回路８３に導かれる。また送信を要求するときコンソール９の送信指示器９４を操作することによって、送信信号が出され、タイミング制御回路８４に入る。タイミング制御回路８４はレジスト命令、演算命令、送信命令を発生し、レジスト命令はレジスタ８０９に入り、Ｘ指示器９１，Ｙ指示器９２，ズーム指示器９３からの信号をレジスタ８０９に記憶するとともにレジスタ８０９の内容を読みだし、演算命令は演算回路８３に入り、Ｘ指示器９１、Ｙ指示器９２、ズーム指示器９３からの信号とレジスタ８０９からの内容とからカメラ１の方位角、仰角、ズーム比の移動分を計算させる。また、送信命令は送信制御回路８１０に入り上記の演算回路８３の演算結果に画像信号の送出命令を付加して直列にカメラ制御信号出力端子８１１より出力し、狭帯域伝送路３００を介して送信側１００へ送出する。」（３頁左上欄１７行ないし左下欄１０行、第２，３，４図）
イ　したがって、当該刊行物には、「カメラ制御信号はコンソールｇにあるカーソル７２の中心位置を決めるＸ指示器９１，Ｙ指示器９２およびズーム比を決めるズーム指示器９３の操作によって得られ、Ｘ指示器９１，Ｙ指示器９２，ズーム指示器９３からの信号はカーソル発生回路８２に入り同期信号発生回路８０５の同期信号をもとにＸ指示器９１，Ｙ指示器９２によってカーソル７２の中心が、ズーム指示器９３によってカーソル７２の大きさが定まったカーソル信号を発生しこのカーソル信号は合成回路８０６に入り、画像メモリ８１からくりかえして読みだされる広帯域画像信号に重じょうされ、プロセス回路８０７によって、同期信号を付加し、映像信号にされ、広帯域ビデオ出力端子８０８より出力され、
　一方、Ｘ指示器９１、Ｙ指示器９２，ズーム指示器９３からの信号はレジスタ８０９及び演算回路８３に導かれ、また送信を要求するときコンソール９の送信指示器９４を操作することによって、送信信号が出され、タイミング制御回路８４に入り、タイミング制御回路８４はレジスト命令、演算命令、送信命令を発生し、レジスト命令はレジスタ８０９に入り、Ｘ指示器９１，Ｙ指示器９２，ズーム指示器９３からの信号をレジスタ８０９に記憶するとともにレジスタ８０９の内容を読みだし、演算命令は演算回路８３に入り、Ｘ指示器９１、Ｙ指示器９２、ズーム指示器９３からの信号とレジスタ８０９からの内容とからカメラ１の方位角、仰角、ズーム比の移動分を計算させ、また、送信命令は送信制御回路８１０に入り上記の演算回路８３の演算結果に画像信号の送出命令を付加して直列にカメラ制御信号出力端子８１１より出力し、狭帯域伝送路３００を介して送信側１００へ送出する静止画像通信方式」が記載されていると認められる。
（３）また、当審拒絶理由に引用された、本願の出願日前である１９９０年５月３１日に頒布された「国際公開第９０／０５９７２号のパンフレット（１９９０）（特表平４―５０３２６１号公報参照）」（以下「刊行物３」という。）には、次の事項が記載されている。
ア　「On the other hand, after having positioned the arrow 15 within the boundaries of window 23 and having squeezed opposed portions 30 and 31 above the threshold force, if the user maintains that squeezing force without further moving arrow 15 then the contents of window 23 are automatically scrolled in a direction which is determined as a function of the position of arrow 15 . Specifically , window 23 is uniformly divided into nine segments 37, 39, 41, 43 , 45 ,47 ,49 , 51 , and 53 as illustrated in Figure 4b . If arrow 15 is positioned in segment 37 then the contents of window 23 are automatically scrolled in a direction down and to the right .If arrow 15 is positioned in segment 39 then the contents of window 23 are scrolled in a generally downward direction .If arrow 15 is positioned in segment 41 then the contents of window 23 are automatically scrolled in a direction down and to the left . If arrow 15 is positioned in segment 43 then automatic scrolling is in a rightward direction. If arrow 15 is positioned in segment 47 then automatic scrolling is in a leftward direction . If arrow 15 is positioned in segment 49 then scrolling of the contents of window 23 is in an upward and to the right direction . If arrow 15 is positioned in segment 51 then scrolling is in a generally upward direction . If arrow 15 is positioned in segment 53 then scrolling is generally in an upward and to the left direction . If arrow 15 is positioned in central segment 45 then no automatic scrolling is provided . Generally , the automatic scrolling is provided at a rate of one inch per second to provide a display which is fairly readable by the user during scrolling .」（１０頁３８行ないし１１頁２７行、第４ｂ図）
イ　したがって、当該刊行物には、「９つのセグメントに均等に分割されたウィンドウにおいて、マウスにより矢印が各セグメントに位置決めされることにより、所定の方向に自動スクロールが実行される」点が記載されていると認められる。
　
３　本願発明と刊行物発明との対比
　本願発明と刊行物発明を対比すると、
（１）刊行物発明は、多値ＷＳにおいてテレビカメラをリモートで操作するために、ブライト，コントラスト，焦点，ズーム，絞り，シャッタ，テレビカメラのチルト台のＵＰ，ＤＯＷＮ，ＬＥＦＴ，ＲＩＧＨＴからなるコマンド群の表示を行い、そのコマンドをカメラに送りつづけてテレビカメラのチルト台を動かすことにより、（チルト台に設置された）テレビカメラ（の撮影方向）を制御しているものであり、また、ＴＥＬＥの部分が指定され続ける間そのコマンドをカメラに送りつづけてカメラのサーボモータを駆動して、入力画像の大きさを変えるものである。
　そして、刊行物発明の「テレビカメラ」は本願発明の「ビデオカメラ」に相当することは明らかであるから、刊行物発明は、本願発明の「ビデオカメラを遠隔制御するビデオカメラ制御装置」に相当する構成を有している。
（２）刊行物発明は、総合文書が表示されているような場合、その上にカメラからのモニタ画面が表示され、これは多値ＢＵＦのモニタ画面に対応する領域部分にテレビカメラからの入力画像を所定の時間間隔でくり返し書込むことによって実現するものである。
　そして、刊行物発明の「テレビカメラ」は本願発明の「ビデオカメラ」に相当し、刊行物発明の「カメラからのモニタ画面」は、その第１５図６９のごとく表示され、テレビカメラからの入力画像が書き込まれた多値ＢＵＦの領域によって定まるものであり、本願発明の「所定のウインドウ」に相当することは明らかであるから、刊行物発明は、本願発明の「ビデオカメラにより撮影された被写体の画像を所定のウインドウに表示する表示手段」に相当する構成を有している。
（３）刊行物発明は、領域をポイントデバイスで指定すると、それを判定し、コマンドが表示され、この中を更にポイントデバイスで指定し、ＵＰ，ＤＯＷＮ，ＬＥＦＴ，ＲＩＧＨＴの部分が指定され続ける間そのコマンドをカメラに送りつづけて、テレビカメラ（ビデオカメラ）のチルト台を動かすことにより、（チルト台に設置された）テレビカメラ（ビデオカメラ）（の撮影方向）を制御（パーニング制御）するものである。
　したがって、刊行物発明は、本願発明の「ビデオカメラをパーニングするパーニング制御手段」に対応する構成を有している。
（４）刊行物発明は、ＴＥＬＥの部分が指定され続ける間そのコマンドをカメラに送りつづけて調節し、指定データをＣＰＵのメモリＲＡＭへズーム等の制御データとして格納し、そしてＲＡＭの制御データはカメラ側へ送られ、カメラのサーボモータを駆動して、入力画像の大きさを変えるものである。
　そして、ＴＥＬＥはズームインを意味するコマンドであるのは技術常識であるから、刊行物発明は、本願発明の「ビデオカメラのズームインを制御するズームイン制御手段」に対応する構成を有している。
（５）したがって、両者は「ビデオカメラを遠隔制御するビデオカメラ制御装置において、前記ビデオカメラにより撮影された被写体の画像を所定のウインドウに表示する表示手段と、前記ビデオカメラをパーニングするパーニング制御手段と、前記ビデオカメラのズームインを制御するズームイン制御手段とを備えることを特徴とするビデオカメラ制御装置。」である点で一致し、次の点で相違しているものと認められる。
　ア　本願発明は、「マウスの操作に応じて、カーソルの表示位置を制御するカーソル制御手段と、前記カーソルにより前記ウインドウ内の分割された領域のうちの所定の領域が指示されることに応じて、指示された前記領域の位置に基づいて」パーニングを行うのに対し、刊行物発明では、「領域をポイントデバイスで指定すると、それを判定し、コマンドが表示され、この中を更にポイントデバイスで指定」し、「ＵＰ，ＤＯＷＮ，ＬＥＦＴ，ＲＩＧＨＴの部分が指定され続ける間そのコマンドをカメラに送りつづけ」る点で相違している。
　イ　マウスによるズームインについて、本願発明は、「マウスの所定のボタンが押下されたときの前記カーソルの位置と、前記ボタンに対する押下が終了されたときの前記カーソルの位置とを結ぶ線を、その対角線とする範囲が設定されることに応じて、前記範囲のサイズと前記ウインドウのサイズから算出されるズーム比率に基づいて、前記範囲内の前記画像を前記ウインドウのサイズにあわせるように」するものであるのに対し、刊行物発明は、「領域をポイントデバイスで指定すると、それを判定し、コマンドが表示され、この中を更にポイントデバイスで指定」し、「ＴＥＬＥの部分が指定され続ける間そのコマンドをカメラに送りつづけ」るものである点で相違している。
　
４　相違点についての検討
（１）相違点アについて
　刊行物３には、９つのセグメントに均等に分割されたウィンドウにおいて、マウスにより（本願発明のカーソルに相当する）矢印が各セグメントに位置決めされることにより、所定の方向に自動スクロールが実行される点が開示されており、刊行物発明も刊行物３のものも、ポイントデバイスにより指定を行い、画面の中心位置の移動すなわちパーニングさせることにかわりないので、刊行物発明に刊行物３のものを採用することは、当業者にとって容易に推考し得たものである。
　そして、マウスの操作に応じて、カーソルの表示位置を制御するカーソル制御手段は周知技術であり、個々の実施態様に応じて適宜採用しうる設計的事項にすぎない。
（２）相違点イについて
　刊行物２には、カメラ制御信号はコンソールにあるズーム比を決めるズーム指示器の操作によって得られ、表示されたカーソルの大きさに対応するズーム指示器からの信号と（受信画面のズーム指示器からの信号を記憶している）レジスタからの内容とからカメラのズーム比の移動分を計算させる点が記載されており、テレビカメラ（ビデオカメラ）のズーム制御をおこなう点において、刊行物発明も刊行物２のものもかわりないのであるから、刊行物発明に刊行物２のものを採用することは、当業者にとって容易に推考できたものである。
　そして、マウスの所定のボタンが押下されたときの前記カーソルの位置と、前記ボタンに対する押下が終了されたときの前記カーソルの位置とを結ぶ線をその対角線とする範囲を設定することは、周知技術（必要ならば、特開昭６３−２８４６７８号公報、特開昭６４−１４６２８号公報参照）にすぎず、個々の実施態様に応じて適宜採用しうる設計的事項にすぎない。
（３）そして、これらを総合的に考慮しても、上記相違点は、当業者が容易に推考できたものであり、また、上記相違点に基づく本願発明の効果に格別顕著なものは認められない。
　
５　むすび
　したがって、本願発明は、刊行物に記載された発明に基いて当業者が容易に発明をすることができたものであるので、特許法第２９条第２項の規定により特許を受けることができない。
　よって、結論のとおり審決する。